(57)【要約】【課題】トラクター等の農業機械を利用することができる除雪車を提供する。【解決手段】除雪車１０は、トラクター等の農業機械よりなる車両本体１１を備えている。車両本体１１の前側には、除雪板１２Ａを有する除雪部１２が配設され、除雪部１２には、ワイヤー１３の一端部が接続されている。車両本体１１の後側には、ワイヤー１３の他端部が接続され、ワイヤー１３を介して除雪板１２Ａを昇降させる昇降手段１４が配設されている。昇降手段１４により、ワイヤー１３を介して除雪板１２Ａが昇降される。【選択図】図１
2018084080.tif 000002
【特許請求の範囲】
【請求項１】
車両本体と、
この車両本体の前側に配設され、除雪板を有する除雪部と、
この除雪部に一端部が接続されたワイヤーと、
このワイヤーの他端部が接続され、前記車両本体の後側に配設されて、前記ワイヤーを介して前記除雪板を昇降させる昇降手段と、
前記ワイヤーを案内する滑車と
を備えたことを特徴とする除雪車。
【請求項２】
前記昇降手段はシリンダーを有し、
前記除雪板は、前記シリンダーが伸長又は収縮するのに応じ、前記ワイヤーが後側に引っ張られると上方に持ち上げられ、前記ワイヤーが前側に引っ張られると下方に下げられる
ことを特徴とする請求項１記載の除雪車。
【請求項３】
前記除雪部及び前記昇降手段の少なくとも一方は、前記車両本体に対して着脱可能とされた
ことを特徴とする請求項１又は請求項２記載の除雪車。
【請求項４】
前記車両本体は、トラクターであることを特徴とする請求項１から請求項３のいずれか１に記載の除雪車。
【請求項５】
前記滑車は、車両本体の後側に配置された第１の滑車と、前記車両本体の前側に配置された第２の滑車と、これら第１の滑車と第２の滑車との間に配置された第３の滑車と、前記第２の滑車よりも前側かつ上方に配置され、前記ワイヤーの移動により前記除雪板を昇降させるための第４の滑車とを有する
ことを特徴とする請求項１から請求項４のいずれか１に記載の除雪車。
【発明の詳細な説明】
【技術分野】
【０００１】
本発明は、除雪車に関する。
【背景技術】
【０００２】
降雪地域においては、冬場に除雪作業が必要となるが、高齢者において手作業の除雪作業は負担が大きい。小型の除雪機も販売されてはいるが、除雪機を保有するのは手間であり、保管場所も必要であるという問題があった。また、小型の除雪機の場合、除雪能力が不十分であるという問題もあった。そこで、冬場には使用しないトラクター等の農業機械を除雪機として利用することができれば、手間や保管場所の問題を解決することができるので好ましい。
【先行技術文献】
【特許文献】
【０００３】
【特許文献１】特開２００１−２９５３１４号公報
【発明の概要】
【発明が解決しようとする課題】
【０００４】
本発明は、このような問題に基づきなされたものであり、トラクター等の農業機械を利用することができる除雪車を提供することを目的とする。
【０００５】
なお、特許文献１には、フロントローダのアームを伸縮自在に構成したクローラトラクターが記載されている。しかし、特許文献１のトラクターは除雪するものではなく、また、具体的な構成が異なっている。
【課題を解決するための手段】
【０００６】
本発明の除雪車は、車両本体と、この車両本体の前側に配設され、除雪板を有する除雪部と、この除雪部に一端部が接続されたワイヤーと、このワイヤーの他端部が接続され、車両本体の後側に配設されて、ワイヤーを介して除雪板を昇降させる昇降手段と、ワイヤーを案内する滑車とを備えたものである。
【発明の効果】
【０００７】
本発明によれば、車両本体の前側に除雪板を有する除雪部を配設し、この除雪部にワイヤーを接続し、車両本体の後側にワイヤーを介して除雪板を昇降させる昇降手段を配設するようにしたので、車両本体にトラクター等の農業機械を利用することにより、農業機械に除雪機能を容易に付加することができる。よって、除雪作業の手間を削減することができると共に、除雪の専用機を保有する手間、及び、保管場所を削減することができる。
【０００８】
また、昇降手段がシリンダーを有し、シリンダーが伸長又は収縮するのに応じて、ワイヤーが後側に引っ張られると除雪板が上方に持ち上げられ、ワイヤーが前側に引っ張られると除雪板が下方に下げられるように構成すれば、簡単に除雪板を昇降させることができる。
【図面の簡単な説明】
【０００９】
【図１】本発明の一実施の形態に係る除雪車の構成を表わす図である。
【図２】図１に示した昇降手段の動作を表わす図である。
【発明を実施するための形態】
【００１０】
以下、本発明の実施の形態について図面を参照して詳細に説明する。
【００１１】
図１は、本発明の一実施の形態に係る除雪車１０の全体構成を表わすものである。この除雪車１０は、トラクター等の農業機械よりなる車両本体１１を備えている。車両本体１１は、例えば、車体１１Ａと、車体１１Ａに配設され、走行するための車輪１１Ｂとを備え、車体１１Ａには図示しないエンジンが搭載されている。車両本体１１の前側には、除雪板１２Ａを有する除雪部１２が配設され、除雪部１２には、ワイヤー１３の一端部が接続されている。また、車両本体１１の後側には、ワイヤー１３の他端部が接続され、ワイヤー１３を介して除雪板１２Ａを昇降させる昇降手段１４が配設されている。なお、図１（Ａ）は車輪１１Ｂに隠れている部分を破線で表したものであり、図１（Ｂ）は車輪１１Ｂに隠れている部分の構成を明確とするために、車輪１１Ｂを省略して表したものである。
【００１２】
除雪部１２は、例えば、除雪板１２Ａと、この除雪板１２Ａを車両本体１１の車体１１Ａに配設するための除雪板配設部１２Ｂと、除雪板１２Ａに一端部が配設され、他端部が除雪板配設部１２Ｂに対して回動可能に配設された支持アーム１２Ｃとを備えている。支持アーム１２Ｃは、除雪板１２Ａを昇降可能に支持して除雪板配設部１２Ｂに配設するものである。除雪板配設部１２は、例えば、車両本体１１に対して着脱可能とされていることが好ましい。冬場に除雪が必要となった時に除雪部１２を取り付けて農業機械に除雪機能を付加するためである。また、ワイヤー１３の一端部は、例えば、除雪板１２Ａ又は支持アーム１２Ｃに接続されている。
【００１３】
昇降手段１４は、例えば、車両本体１１の車体１１Ａに配設する昇降手段配設部１４Ａと、この昇降手段配設部１４Ａに一端部が回動可能に配設され、他端部にワイヤー１３が取り付けられた上下動アーム１４Ｂと、この上下動アーム１４Ｂの他端部を上下させるシリンダー１４Ｃとを備えている。昇降手段配設部１４Ａは、例えば、車両本体１１に対して着脱可能とされていることが好ましい。冬場に除雪が必要となった時に昇降手段１４を取り付けて農業機械に除雪機能を付加するためである。
【００１４】
シリンダー１４Ｃは、例えば、車体１１Ａに搭載されたエンジンの動力を利用して駆動され、車体１１Ａの後斜め上方に向かって伸長するように、昇降手段配設部１４Ａに対して配設されている。シリンダー１４Ｃが伸長又は収縮するのに応じて、上下動アーム１４Ｂの他端部が上下し、ワイヤー１３が後側に引っ張られると除雪板１２Ａが上方に持ち上げられ、ワイヤー１３が前側に引っ張られると除雪板１２Ａが下方に下げられるように構成されている。具体的には、例えば、シリンダー１４Ｃが伸長すると上下動アーム１４Ｂの他端部が下に移動し、シリンダー１４Ｃが収縮すると上下動アーム１４Ｂの他端部が上に移動するようになっている。
【００１５】
除雪車１０は、また、ワイヤー１３を案内する滑車１５を備えている。滑車１５は、例えば、車両本体１１の後側に配置された第１の滑車１５Ａと、車両本体１１の前側に配置された第２の滑車１５Ｂと、これら第１の滑車１５Ａと第２の滑車１５Ｂとの間に配置された第３の滑車１５Ｃと、第２の滑車１５Ｂよりも前側かつ上方に配置され、ワイヤー１３の移動により除雪板１２Ａを昇降させるための第４の滑車１５Ｄとを有していることが好ましい。
【００１６】
第１の滑車１５Ａは、例えば、第１の取付部１６Ａにより車体１１Ａから後側に突出して配設されることが好ましく、ワイヤー１３は第１の滑車１５Ａの下側を通って案内される。第１の取付部１６Ａは、車体１１Ａに対して着脱可能とされることが好ましい。車両本体１１に除雪機能を付加しない時に邪魔になることを防止するためである。第２の滑車１５Ｂは、例えば、第２の取付部１６Ｂにより車体１１Ａから下側に突出して配設されることが好ましく、ワイヤー１３は第２の滑車１５Ｂの上側を通って案内される。ワイヤー１３のたるみを防止するためである。第３の滑車１５Ｃは、例えば、第３の取付部１６Ｂにより車体１１Ａの前側において下側に突出して配設されることが好ましく、ワイヤー１３は第３の滑車１５Ｃの下側を通って案内される。
【００１７】
第４の滑車１５Ｄは、例えば、除雪板配設部１２Ｂに対して取り付けられ、ワイヤー１３に沿って３個並べて配設されることが好ましい。ワイヤー１３を第４の滑車１５Ｄの上側、下側、上側の順に案内することにより、ワイヤー１３が第４の滑車１５Ｄから外れることを防止するためである。
【００１８】
この除雪車１０は、例えば、次のように動作する。まず、除雪板１２Ａを降ろして走行する際には、例えば、図２に示したように、シリンダー１４Ｃを伸長させ、上下動アーム１４Ｂの他端部を下に移動させる。これにより、ワイヤー１３が前側に引っ張られ、これに連動して除雪板１２Ａが下方に下がる。また、除雪板１２Ａを上げて走行する際には、例えば、図１に示したように、シリンダー１４Ｃを収縮させ、上下動アーム１４Ｂの他端部を上に移動させる。これにより、ワイヤー１３が後側に引っ張られ、これに連動して除雪板１２Ａが上方に持ち上がる。
【００１９】
このように、本実施の形態によれば、車両本体１１の前側に除雪板１２Ａを有する除雪部１２を配設し、この除雪部１２にワイヤー１３を接続し、車両本体１１の後側にワイヤー１３を介して除雪板１２Ａを昇降させる昇降手段１４を配設するようにしたので、車両本体１１にトラクター等の農業機械を利用することにより、農業機械に除雪機能を容易に付加することができる。よって、除雪作業の手間を削減することができると共に、除雪の専用機を保有する手間、及び、保管場所を削減することができる。
【００２０】
また、昇降手段１４がシリンダー１４Ｃを有し、このシリンダー１４Ｃが伸長すると、ワイヤー１３が後側に引っ張られるのに連動して除雪板１２Ａが上方に持ち上げられ、シリンダー１４Ｃが収縮すると、ワイヤー１３が前側に引っ張られるのに連動して除雪板１２Ａが下方に下げられるように構成すれば、簡単に除雪板１２Ａを昇降させることができる。
【００２１】
以上、実施の形態を挙げて本発明を説明したが、本発明は上記実施の形態に限定されるものではなく、種々変形可能である。例えば、上記実施の形態では、除雪部１２及び昇降手段１４を車両本体１１に対して着脱可能とする場合について説明したが、いずれか一方を着脱可能とするようにしてもよい。
【００２２】
また、上記実施の形態では、シリンダー１４Ｃの伸長又は収縮に対する除雪板１２Ａの昇降について、シリンダー１４Ｃが伸長すると上下動アーム１４Ｂの他端部が下に移動し、ワイヤー１３が前側に引っ張られて除雪板１２Ａが下方に下がり、シリンダー１４Ｃが収縮すると上下動アーム１４Ｂの他端部が上に移動し、ワイヤー１３が後側に引っ張られて除雪板１２Ａが上方に上がる場合について説明したが、シリンダー１４Ｃが伸長すると上下動アーム１４Ｂの他端部が上に移動し、ワイヤー１３が後側に引っ張られて除雪板１２Ａが上方に上がり、シリンダー１４Ｃが収縮すると上下動アーム１４Ｂの他端部が下に移動し、ワイヤー１３が前側に引っ張られて除雪板１２Ａが下方に下がるように構成してもよい。
【００２３】
更に、上記実施の形態では、各構成要素について具体的に説明したが、全ての構成要素を備えていなくてもよく、また、他の構成要素を備えていてもよい。
【産業上の利用可能性】
【００２４】
除雪車に用いることができる。
【符号の説明】
【００２５】
１０…除雪車、１１…車両本体、１１Ａ…車体、１１Ｂ…車輪、１２…除雪部、１２Ａ…除雪板、１２Ｂ…除雪板配設部、１２Ｃ…支持アーム、１３…ワイヤー、１４…昇降手段、１４Ａ…昇降手段配設部、１４Ｂ…上下動アーム、１４Ｃ…シリンダー、１５…滑車、１５Ａ…第１の滑車、１５Ｂ…第２の滑車、１５Ｃ…第３の滑車、１５Ｄ…第４の滑車、１６Ａ…第１の取付部、１６Ｂ…第２の取付部、１６Ｃ…第３の取付部
【図１】
2018084080.tif 000003
【図２】
2018084080.tif 000004
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
車両本体と、
この車両本体の前側に配設され、除雪板を有する除雪部と、
この除雪部に一端部が接続されたワイヤーと、
このワイヤーの他端部が接続され、前記車両本体の後側に配設されて、前記ワイヤーを介して前記除雪板を昇降させる昇降手段と、
前記ワイヤーを案内する滑車とを備え、
前記滑車は、車両本体の後側に配置された第１の滑車と、前記車両本体の前側に配置された第２の滑車と、これら第１の滑車と第２の滑車との間に配置された第３の滑車と、前記第２の滑車よりも前側かつ上方に配置され、前記ワイヤーの移動により前記除雪板を昇降させるための第４の滑車とを有する
ことを特徴とする除雪車。
【請求項２】
前記昇降手段はシリンダーを有し、
前記除雪板は、前記シリンダーが伸長又は収縮するのに応じ、前記ワイヤーが後側に引っ張られると上方に持ち上げられ、前記ワイヤーが前側に引っ張られると下方に下げられる
ことを特徴とする請求項１記載の除雪車。
【請求項３】
前記除雪部及び前記昇降手段の少なくとも一方は、前記車両本体に対して着脱可能とされた
ことを特徴とする請求項１又は請求項２記載の除雪車。
【請求項４】
前記車両本体は、トラクターであることを特徴とする請求項１から請求項３のいずれか１に記載の除雪車。